(57)【要約】【課題】縦枠の外側に張り出す邪魔物のない簡易な構成で、縦枠の脚部の伸縮操作を容易且つ迅速に、しかも無段階に行なうことができる、脚長が変更可能な梯子類を提供することを課題とする。【解決手段】２本の中空縦枠２、２ａ間に適宜間隔置きに足掛桟３を配して成る梯子構成部１の前記両縦枠２、２ａの下端部に、それぞれ適宜長さの中空補助脚８、８ａをスライド可能に内挿又は被装し、最下段の前記足掛桟３と前記両縦枠２、２ａとを連通させ、前記最下段の足掛桟３から前記両縦枠２、２ａの下端部にかけて、前記２本の補助脚８、８ａを、同時に反対方向にスライドさせる移動手段４、４ａを配設して成り、前記移動手段４、４ａは、前記２本の補助脚８、８ａを所望位置に保持するためのロック機構６、７を備えたことを特徴とする。【選択図】        図１
2004257051.tif 000002
【特許請求の範囲】
【請求項１】
２本の中空縦枠間に適宜間隔置きに足掛桟を配して成る梯子構成部の前記両縦枠の下端部に、それぞれ適宜長さの中空補助脚をスライド可能に内挿又は被装し、最下段の前記足掛桟と前記両縦枠とを連通させ、前記最下段の足掛桟から前記両縦枠の下端部にかけて、前記２本の補助脚を、同時に反対方向にスライドさせる移動手段を配設して成り、前記移動手段は、前記２本の補助脚を所望位置に保持するためのロック機構を備えたことを特徴とする脚長が変更可能な梯子類。
【請求項２】
前記移動手段は、前記各縦枠に嵌装されてピストンロッドが前記補助脚に固定される油圧シリンダーと、前記最下段の足掛桟を介して前記２つの油圧シリンダーを結ぶオイルパイプと、前記最下段の足掛桟の中途に配設されて前記オイルパイプの開閉を行なうバルブとで構成される請求項１に記載の脚長が変更可能な梯子類。
【請求項３】
前記移動手段は、前記最下段の足掛桟の上側において、前記各縦枠の内側面に形成されるスリットと、前記各縦枠内に挿入される前記補助脚の上端部に突設されて前記スリットから露出する固定部と、前記最下段の足掛桟の両側に設置される滑車等の掛回し手段と、前記２つの掛回し手段を介して端部がそれぞれ前記固定部に固定されるワイヤー等の索手段と、前記最下段の足掛桟の中途に配設されて前記ワイヤー類を解放又はロックするロック機構とで構成される請求項１に記載の脚長が変更可能な梯子類。
【請求項４】
前記縦枠内に、前記補助脚に常時引上力を付与するスプリングを張架した請求項３に記載の脚長が変更可能な梯子類。
【請求項５】
前記梯子構成部は、予め梯子本体に組み込まれたものである請求項１乃至４のいずれかに記載の脚長が変更可能な梯子類。
【請求項６】
前記梯子構成部は、既存の梯子本体に後から組み付けられるものである請求項１乃至４のいずれかに記載の脚長が変更可能な梯子類。
【発明の詳細な説明】
【０００１】
【発明の属する技術分野】
本発明は、脚長が変更可能な梯子類に関し、より詳細には、接地面が傾斜地や段部等の平坦でない場所において立て掛けて使用するのに好適な、脚長が変更可能な梯子、脚立等の梯子類に関する。
【０００２】
【従来の技術】
建物等に立て掛けて昇降するのに使用する梯子は、基本的に、左右２本の縦枠の間に、任意間隔に足掛桟を多段に設けて構成され、縦枠の下端を、地面上や床上等に置いて立て掛けて使用する。
【０００３】
このような梯子は、平坦な接地面上に立て掛けて使用することを前提としたもので、縦枠は左右等長となっている。従って、接地面が傾斜したり凸凹があったりする場合は、梯子は傾いて不安定となり、立て掛け不能となることもある。脚立についても同様のことが言える。
【０００４】
このように接地面が平坦でない場合には、長さが不足する方の縦枠の下に、適当な台物を置いてその上に当該縦枠を載せることが考えられるが、足元が不安定になって危険が伴なう。そこで、縦枠の一方又は双方の脚部外側部に補助脚を取り付けることが考えられている（例えば、特開平７−１８９１８４号公報、同９−３２８９８１号公報、実開平５−２４８９９号公報）。
【０００５】
上記従来の補助脚付き梯子の場合は、外側に張り出す補助脚が邪魔になるだけでなく、長さ調整のために、ネジを緩めたり締めたりして補助脚をずらし動かす作業が必要となり、その作業は煩わしくて手間がかかり、しかもその長さ調整は、ネジ穴間隔による段階的なものであって、無段階による微調整は行なうことができない。
【０００６】
【発明が解決しようとする課題】
上述したように、従来の補助脚付き梯子の場合には種々の欠点があったので、本発明はそのような欠点のない、即ち、縦枠の外側に張り出す邪魔物のない簡易な構成で、縦枠の脚部の伸縮操作を容易且つ迅速に、しかも無段階に行なうことができる、脚長が変更可能な梯子類を提供することを課題とする。
【０００７】
【課題を解決するための手段】
上記課題を解決するための本発明に係る脚長が変更可能な梯子類は、２本の中空縦枠間に適宜間隔置きに足掛桟を配して成る梯子構成部の前記両縦枠の下端部に、それぞれ適宜長さの中空補助脚をスライド可能に内挿又は被装し、最下段の前記足掛桟と前記両縦枠とを連通させ、前記最下段の足掛桟から前記両縦枠の下端部にかけて、前記２本の補助脚を、同時に反対方向にスライドさせる移動手段を配設して成り、前記移動手段は、前記２本の補助脚を所望位置に保持するためのロック機構を備えたことを特徴とする。
【０００８】
前記移動手段は、前記各縦枠に嵌装されてピストンロッドが前記補助脚に固定される油圧シリンダーと、前記最下段の足掛桟を介して前記２つの油圧シリンダーを結ぶオイルパイプと、前記最下段の足掛桟の中途に配設されて前記オイルパイプの開閉を行なうバルブとで構成することができる。
【０００９】
また、前記移動手段は、前記最下段の足掛桟の上側において、前記各縦枠の内側面に形成されるスリットと、前記各縦枠内に挿入される前記補助脚の上端部に突設されて前記スリットから露出する固定部と、前記最下段の足掛桟の両側に設置される滑車等の掛回し手段と、前記２つの掛回し手段を介して端部がそれぞれ前記固定部に固定されるワイヤー等の索手段と、前記最下段の足掛桟の中途に配設されて前記ワイヤー類を解放又はロックするロック機構とで構成することもできる。その場合は、通例、前記縦枠内に、前記補助脚に常時引上力を付与するスプリングを張架する。
【００１０】
前記梯子構成部は、予め梯子本体に組み込まれたものである場合と、既存の梯子本体に後から組み付けられるものである場合とがある。
【００１１】
【発明の実施の形態】
以下、本発明の好適な実施の形態について、添付図面を参照して詳細に説明する。まず、図１及び図２に示される本発明に係る梯子類の第１の実施形態について説明するに、図中１は梯子構成部で、平行な２本の中空の縦枠２、２ａと、縦枠２、２ａの間に、適宜間隔置きに配設される足掛桟３とから成る。少なくとも、最下段の足掛桟３は、縦枠２、２ａと連通状態に構成される。
【００１２】
縦枠２、２ａの下端部内に、油圧シリンダー４、４ａが設置され、各油圧シリンダー４、４ａに対して作動油の出入を行なうためのオイルパイプ５が、足掛桟３内に通され、その端部が、それぞれ油圧シリンダー４、４ａに接続される。６はオイルパイプ５の流路を開閉するバルブで、そのコック７が足掛桟３外に出され、外部から開閉操作可能にされる。
【００１３】
８、８ａは補助脚で、この実施形態の場合は、補助脚８、８ａは、縦枠２、２ａの下端部に、スライド可能に内挿し、あるいは、被装する（図示した例は前者）。補助脚８、８ａ内には固定板９が設置され、そこに、油圧シリンダー４、４ａのピストンロッド１０、１０ａの先端が固定される。
【００１４】
上記構成においては、バルブ６を開くことにより、両シリンダー４、４ａ間において、オイルパイプ５を介しての作動油の往来が可能となる。従って、傾斜地等においての使用時に、バルブ６を開いた状態で一方の補助脚８を引いたり押したりすれば、他方の補助脚８ａは、作動油の作用で補助脚８と逆の方向に移動する。
【００１５】
かくして、補助脚８、８ａの出没量、換言すれば、縦枠２、２ａの脚長を、接地面の傾斜状態に合わせて無段階に自由に設定調整し、使用時に梯子を垂直状態に保持することが可能となる。そして、調整後、バルブ６を閉めれば、油圧シリンダー４、４ａ間における作動油の往来が断たれるため、補助脚８、８ａはその位置に固定される。
【００１６】
次いで、図３及び図４に示す第２の実施形態について説明する。この実施形態においては、最下段の足掛桟３とその上の足掛桟３ａとの間の縦枠２、２ａの内側面にスリット１１、１１ａが形成される。そして、縦枠２、２ａ内に嵌挿される補助脚８、８ａの上端部に、スリット１１、１１ａから突出し、スリット１１、１１ａに沿って摺動する固定部１２、１２ａが突設される。
【００１７】
固定部１２、１２ａには、それぞれ足掛桟３内に挿通されるワイヤー１３、チェーン等の索手段の端部が固定される。ワイヤー１３は、足掛桟３の両端に、少なくとも下部を足掛桟３内に没した状態にて設置される滑車１４、１４ａ、スプロケット等の掛回し手段に掛け回す。
【００１８】
足掛桟３の中間部に、ワイヤー１３をロックするロック手段１５が設置される。ロック手段１５は、例えば、足掛桟３の外部に配置されるコック１６を締めることにより、ワイヤー１３を強圧してその移動を阻止可能にすると共に、コック１６を緩めることにより、ワイヤー１３を解放してその移動を許容する構成とする。
【００１９】
好ましくは、縦枠２、２ａ内にスプリング取付板１７、１７ａを設置し、それに、下端を補助脚８、８ａに固定したスプリング１８、１８ａの上端を固定する。スプリング１８、１８ａは、常時補助脚８、８ａを引上げるように作用させる。
【００２０】
この第２の実施形態においては、ロック手段１５を解放することによってワイヤー１３の移動が可能となる。従って、傾斜地等においての使用時に、その解放状態で一方の補助脚８を押し込めば、他方の補助脚８ａは、ワイヤー１３に引かれて補助脚８と逆の方向に移動する。
【００２１】
スプリング１８、１８ａを配架したときは、補助脚８、８ａは常時引上げられた状態となるので安定し、また、一方の補助脚８を押し込むだけでなく、引くことによっても他方の補助脚８ａを移動させることが可能となる。
【００２２】
かくして、補助脚８、８ａの出没量、換言すれば、縦枠２、２ａの脚長を、接地面の傾斜状態に合わせて無段階に自由に設定調整することが可能となる。そして、調整後ロック手段１５を締めれば、ワイヤー１３がロックされて移動しなくなるので、補助脚８、８ａはその位置に固定される。なお、使用時には、ワイヤー１３は必らずしもロックしなくてもよい。
【００２３】
上記いずれかの構成の補助脚８、８ａを備えた梯子構成部１は、通例、梯子本体に予め組み込まれるが、それを独立した構成とし、上下から縦枠を嵌入する筒状継手、その他適宜の継手手段を介して既存の梯子本体に組み付けることとすることもできる。
【００２４】
【発明の効果】
本発明は上述した通りであって、縦枠の外側に張り出す邪魔物のない簡易な構成で、縦枠の脚部の伸縮操作を容易且つ迅速に、しかも無段階に行なうことができる脚長が変更可能な梯子類を提供し得る効果がある。
【図面の簡単な説明】
【図１】本発明に係る梯子の第１の実施形態を示す要部部分断面正面図である。
【図２】図１に示す梯子の使用例を示す要部部分断面正面図である。
【図３】本発明に係る梯子の第２の実施形態を示す要部部分断面正面図である。
【図４】本発明に係る梯子の第２の実施形態を示す要部部分断面側面図である。
【符号の説明】
１    梯子構成部
２    縦枠
２ａ  縦枠
３    足掛桟
３ａ  足掛桟
４    油圧シリンダー
４ａ  油圧シリンダー
５    オイルパイプ
６    バルブ
７    コック
８    補強脚
８ａ  補強脚
９    固定板
９ａ  固定板
１０    ピストンロッド
１０ａ  ピストンロッド
１１    スリット
１１ａ  スリット
１２    固定部
１２ａ  固定部
１３    ワイヤー
１４    滑車
１４ａ  滑車
１５    ロック手段
１６    コック
１７    スプリング取付板
１７ａ  スプリング取付板
１８    スプリング
１８ａ  スプリング
【図１】
2004257051.tif 000003
【図２】
2004257051.tif 000004
【図３】
2004257051.tif 000005
【図４】
2004257051.tif 000006